(57)【要約】  本発明の開示は、単数または複数の食品を保持するパックに関し、このパックは、袋１０と、袋のために使用される溝形の硬い紙で形成されたホルダ１１とを有する。ホルダ１１は、袋の側面が接着面４０により接着される一組の側壁１２，１５と、第１折り曲げ線２１で側壁とヒンジ結合された底部１４と、ホルダの両側壁の間を離し、かつ、袋の両側壁の間を離して保持し、底部が略凸形または略凹形になるような、第１折り曲げ線に平行に延伸する、間隔を開けた複数の第２折り曲げ線２２を含む。
2008517846.tif 000002
【特許請求の範囲】
【請求項１】
単数または複数の食品を保持するパックであり、
袋と、
前記袋のために使用される溝形の硬い紙で形成されたホルダと、を有し、
前記ホルダは、前記袋の側面が接着される一組の側壁と、第１折り曲げ線で前記側壁とヒンジ結合された底部と、前記ホルダの前記両側壁の間を離し、かつ、前記袋の前記両側壁の間を離して保持し、前記底部が略凸形または略凹形になるような、前記第１折り曲げ線に平行に延伸する、間隔を開けた複数の第２折り曲げ線とを含むことを特徴とするパック。
【請求項２】
前記底部の前記第２折り曲げ線は、前記ホルダの前記両側壁の間で、前記底部がなだらかな略凸形または略凹形になるような、中央折り曲げ線と、前記中央折り曲げ線と前記底部または前記側壁の間の折曲げ線とを有することを特徴とする、請求項１に記載のパック。
【請求項３】
前記袋は、平らな場合は前記溝よりも長く、前記溝の内側に固定され、前記袋が部分的に前記溝の両側から延伸することを特徴とする、請求項１または２に記載のパック。
【請求項４】
前記ホルダの１つの側壁が延伸して前記蓋を提供し、この蓋には前記側壁の上部との折り曲げ線があり、それによって、前記溝の上部を覆うように前記蓋を折り曲げ、前記溝の内側に設けられた前記袋の上端を閉じることができることを特徴とする、請求項１〜３のいずれかに記載のパック。
【請求項５】
前記蓋の末端がフラップであって、このフラップには前記蓋との折り曲げ線があり、それによって、前記フラップを前記溝の他方の側壁に沿って下方に折り曲げることができ、前記蓋を前記溝の上部を覆うように閉じた状態で保持したり開いたりできるよう、前記フラップを前記他方の側壁に固定する手段を備えることを特徴とする、請求項４に記載のパック。
【請求項６】
前記蓋の前記フラップを前記溝の前記他方の側壁と係合させて保持する前記手段は、前記他方の側壁にある差込み口と係合し、固定されるような形状であるタブを前記フラップに有することを特徴とする、請求項５に記載のパック。
【請求項７】
前記タブは、前記フラップの切り込みにより、前記フラップ部分内に形成されることを特徴とする、請求項６に記載のパック。
【請求項８】
前記蓋は、前記蓋が略凸形にカーブした形になるような、複数の間隔を開けた折り曲げ線を備えて形成されることを特徴とする、請求項５〜７のいずれかに記載のパック。
【請求項９】
前記蓋は、中央折り曲げ線を有し、この中央折り曲げ線は、前記中央折り曲げ線の両側にある前記蓋と側壁の間、および、前記蓋と中間折り曲げ線との間にある折り曲げ線に平行に延伸していることを特徴とする、請求項８に記載のパック。
【請求項１０】
前記蓋が形成される側の前記ホルダの前記側壁付近にある前記パックの側面は、前記蓋と共に前記袋の上部を覆って折り曲げられるように、前記蓋の内側で延伸し、前記蓋に接着されていることを特徴とする、請求項４〜９のいずれかに記載のパック。
【請求項１１】
前記袋の前記他方の側面は、前記側壁の上方に延伸し、かつ、前記側面と接着されて、フラップを提供し、このフラップは、前記袋が閉じられた場合に、前記袋の内容物を覆うように折り曲げることができることを特徴とする、請求項１０に記載のパック。
【請求項１２】
食料品に使用される容器であって、
上部が開口している袋と、
前記袋のために使用される溝形の硬い紙で形成されたホルダと、を有し、
前記ホルダは、前記袋の側面に接着された一組の側壁と、前記側壁との凸形の折り曲げ線を含む底壁と、直線の中央折り曲げ線とを有し、それによって、前記底壁は、「中央を越えて」逆Ｖ字形になるように折り曲げられ、前記溝の前記両側壁の間を離して保持するので、前記袋を開いた状態に広げることができ、前記凸形にカーブした折り曲げ線は、前記折曲げ線の端部では相互に略平行に延伸するので、前記ホルダが溝形に折り曲げられると、コーナ部を形成し、それにより安定して置くことができることを特徴とする容器。
【請求項１３】
前記底部と前記側壁の間の前記凸形にカーブした折り曲げ線は、前記線の端部において逆に曲がった部分を有することを特徴とする、請求項１２に記載の容器。
【請求項１４】
前記折り曲げ線の前記端部における前記逆に曲がった部分は、短い平行な折り曲げ線によって終端されることを特徴とする、請求項１３に記載の容器。
【請求項１５】
前記溝の前記側壁の１つは、蓋を形成するように延伸し、この蓋には前記側壁との折り曲げ線があり、それによって、前記溝の上部を覆うように前記蓋を折り曲げ、前記溝を閉じることができ、前記蓋を前記溝の前記他方の側壁に固定して前記蓋を閉じた状態に折り曲げる手段を備えることを特徴とする、請求項１２〜１４のいずれかに記載の容器。
【請求項１６】
前記蓋を前記溝に固定する前記手段は、前記他方の側壁の上端にあるタブと、前記蓋の自由端付近にある差込み口とを有し、前記差込み口に前記タブを係合することができることを特徴とする、請求項１５に記載の容器。
【請求項１７】
前記蓋が形成される前記溝の側面付近にある前記袋の前記側壁は、前記蓋の内側に延伸し、かつ、前記蓋の前記内側に接着され、前記蓋が前記パネルの前記他方の側面と係合するように曲げられた場合に、前記袋の上端を覆う覆いの一部を形成することを特徴とする、請求項１５または１６に記載の容器。
【請求項１８】
前記袋は、前記溝よりも長く、前記溝の内側に固定され、前記袋の端部は、前記溝の端部から突出することを特徴とする、請求項１２〜１７のいずれかに記載の容器。
【発明の詳細な説明】
【技術分野】
【０００１】
本発明は、食品を保持するパックに関し、限定するわけではないが、特に、「ファーストフード」として知られる品目の販売に適したパックに関する。ファーストフードでは、ハンバーガ、ロールなどが店頭において、お客の注文により用意され、パックに包装され、販売される。
【背景技術】
【０００２】
本願と同一の出願人によるＰＣＴ国際特許出願ＷＯ９７／０７０７３７号は、食品または他の品物に使用されるパックに関し、このパックには、紙製またはフィルム製の袋、および袋の底部を支えるように形成された厚紙が含まれる。厚紙は、厚紙と袋を平らに折りたたむことができ、かつ、袋が開くように組み立てることができるように、中央折り曲げ線がある底部と、別の折り曲げ線に沿って底部とヒンジ結合された壁とを含む。袋の下部の側壁は、厚紙の側壁に固定されているので、たたまれた底部をＶ字形に開いて厚紙が組み立てられると、袋の底部も開くようになっている。また、Ｖ字を徐々に開いていくと、厚紙の底部が「中央を越えて」移動し、反転して袋の下部を支えるようになるまで、両壁の間が離れ、袋は引っ張られる。
【発明の開示】
【課題を解決するための手段】
【０００３】
本発明の第１の概念では、単数または複数の食品を保持するパックを提供し、このパックは、袋と、袋のために使用される溝形の硬い紙で形成され、袋の側壁が接着される一組の側壁を含むホルダと、第１折り曲げ線で側壁とヒンジ結合された底部とを含む。底部は、第１折り曲げ線に平行に延伸する、間隔を開けた複数の第２折り曲げ線を含み、この折り曲げ線により、底部は略凸形または略凹形になり、ホルダの両側壁の間を離し、かつ、袋の両側壁の間を離して保持することができる。
【０００４】
例えば、底部の第２折り曲げ線は、底部がホルダの両側壁の間でなだらかな略凸形または略凹形になるような、中央折り曲げ線と、底部と側壁の間の折り曲げ線と中央折り曲げ線との間に設けられた中間折り曲げ線とを含んでもよい。
【０００５】
平らな状態の袋は、溝よりも長く、溝に固定され、袋の一部は溝の両側から外側に延伸していることが好適である。
【０００６】
上記のいずれの形式であっても、ホルダの片壁を延伸させ、蓋を提供することができる。蓋には、溝の上部を覆うように蓋を折り曲げ、溝の内側に設けられた袋の上端を閉じるような側壁の上部との折り曲げ線を含んでもよい。
【０００７】
この場合は、蓋の先端をフラップとし、フラップを溝の他方の側壁に沿って下方に折り曲げることができるように、フラップに蓋との折り曲げ線を含んでもよい。蓋を溝を覆うように閉じた状態で保持したり開いたりできるように、フラップを他方の側壁に固定する手段を備える。
【０００８】
より具体的には、蓋のフラップを溝の他方の側壁と係合した状態に保持する手段には、この他方の側壁にある差込み口と係合し固定されるような形状である、フラップ上のタブを含んでもよい。
【０００９】
例えば、フラップの切り込みにより、フラップ内にタブを形成してもよい。
【００１０】
パックに使用される蓋がホルダに含まれる場合は、蓋に間隔を開けた複数の折り曲げ線を含むように形成することで、蓋を略凸型にカーブさせることができる。
【００１１】
この形式では、蓋には中央折り曲げ線を含んでもよく、この中央折り曲げ線は、蓋と側壁の間、および、中央折り曲げ線の両側にある中間折り曲げ線と蓋の間にある折り曲げ線に平行に延伸する。
【００１２】
ホルダに蓋が含まれるさらに別の形式では、蓋が形成される側のホルダの側壁付近に位置するパックの側面は、蓋と共に袋の上部を覆うように折り曲がるように、蓋の内側で延伸し、蓋に接着する。
【００１３】
この場合は、袋が閉じられた場合に、袋の内容物を覆うように折り曲げられるようなフラップを提供するように、袋の他方の側面は、側壁の上部に延伸し、側壁に接着される。
【００１４】
本発明が提供する第２の概念には、食品に使用する容器が含まれ、この容器には上部が開口する袋と、袋のために使用される溝形の硬い紙で形成されたホルダとが含まれる。このホルダは、袋の側面に接着される２つの側壁と、側壁との間に凸状の折り曲げ線がある底壁と、直線の中央折り曲げ線があり、それによって、底部は「中央を越えて」逆Ｖ字の形になり、溝の両側壁の間を離して保持することができるので、これにより袋を開口することができる。また、凸状にカーブした折り曲げ線は、折り曲げ線の端部では相互に略平行に延伸するので、ホルダが溝形に折り曲げられると、コーナ部を形成し、これによりホルダは安定して置くことができる。
【００１５】
この場合は、底部と側壁の間の凸状にカーブする折り曲げ線には、線の端部に逆に曲がった部分があってもよい。
【００１６】
より具体的には、折り曲げ線の端部にある逆に曲がった部分は、最後の部分が短い平行な折り曲げ線であってもよい。
【００１７】
溝形のホルダが提供されている上記のいずれの形式でも、溝の側壁の１つは、延伸して蓋を形成する。蓋には、側壁との折り曲げ線があり、それによって、溝の上部を覆うように蓋を折り曲げ、溝を閉じることができる。溝の他方の側壁に蓋を固定する手段が備えられており、蓋を閉じた状態に折り曲げることができる。
【００１８】
後の構造では、溝に蓋を固定する手段は、上記他方の側壁の上端にあるタブと、このタブを係合でき、蓋の自由端の付近にある差込み口とを含むことができる。
【００１９】
さらなる特徴として、蓋が形成される側の溝の側面付近にある蓋の側壁は、蓋の内側で延伸し、蓋の内側に接着されるので、蓋がパネルの他方の側面と係合するように折り曲げられた場合に、袋の上部を覆う覆いの一部を形成する。
【００２０】
本発明のさらに別の観念に関連する上記形式において、袋は溝よりも長く、溝に固定されており、袋の端は溝の端から突出している。
【発明を実施するための最良の形態】
【００２１】
以下、本発明の具体的な実施形態について、図面を参照して説明する。
【００２２】
まず図１〜５の実施形態を参照するが、これらの図は具が巻かれたロールなどの食品に使用されるパックを示す。パックは、参照符合１０で示す上部が開口する紙袋を含み、この紙袋は、参照符合１１で示す硬い紙で形成されたホルダの内側に位置する。ホルダは、一体に設けられた一枚の硬い紙を含み、折り曲げ線１３により底壁１４とヒンジ結合された前壁１２を含む。後壁１５は、折り曲げ線１６により底壁とヒンジ結合されており、蓋１７は、折り曲げ線１８により後壁とヒンジ結合されている。最後に、開閉フラップ１９は、折り曲げ線２０により蓋とヒンジ結合されている。
【００２３】
ホルダの底壁１４には、中央折り曲げ線２１と、中間折り曲げ線２２，２３がある。中間折り曲げ線２２，２３は、それぞれ、中央折り曲げ線と折り曲げ線１３の間、および、中央折り曲げ線と折り曲げ線１６の間に位置し、また、ホルダの底部と前壁、および、ホルダの底部と後壁の間に位置する。ホルダの底部および底壁は、折り曲げられ図３に示すような略凸形となるので、食品を食する間、手のひらで楽に持つことができる。
【００２４】
同様に、容器の蓋１７は、中央折り曲げ線２４と中間折り曲げ線２５および２６により形成されるので、蓋は必要に応じて凸形にも凹形にも形成できる。
【００２５】
ホルダの蓋１９は、蓋の切れ目２９により形成され、ハトの幅広な尾の形に切り抜かれたタブ２８を含む。蓋は、タブの底部において蓋の幅方向に伸びる折り曲げ線３０を含むので、タブは容易に蓋から折り出すことができる。ホルダの前壁１２は、細長い差込み口３２を含み、その差込み口にタブを入れて固定することができるので、蓋を袋の上部を覆うように折り曲げて、ホルダを閉めることができる。
【００２６】
先に示したような袋は、ホルダの内側に位置し、いくらかホルダより幅が広いため、袋はホルダの両側から突出する。袋は紙を折り曲げて作られており、袋の重なる端部の間に綴じ目３５がある。綴じ目は袋の上までは達していないので、袋の前壁と後壁は自由に離れるようになっている。それにより、袋は簡単に開くことができ、食品を出し入れ可能である。袋の前壁と後壁は、細長い複数の粘着性部分４０によって、ホルダの前壁および後壁の上部内側に接着される。さらに、袋の後壁は、蓋１７に延伸し、開閉フラップ１９にも部分的に掛かっており、この後壁は、細長い粘着性部分４２により開閉フラップに接着されている。それにより蓋および開閉フラップの開閉時に、袋の後壁も開閉する。袋の前壁は、後壁よりもいくらか短いので、前壁は容易に下方に折り曲げることができ、袋の内容物へ簡単に手が届く。
【００２７】
食品を袋に入れ、袋の蓋を袋を覆うように下方に折り曲げ、開閉フラップのタブを差込み口に差し込むと、蓋を閉じた状態で固定できる。
【００２８】
複数回折り曲げられた底部および容器の蓋により、袋内の食品に対応した形に適用するように、容器は折り曲げることができる。底部の中央部は、袋の両側壁の間で押し上げることができ、それによって、ホルダの両側壁の間を離し、かつ、袋の前壁および後壁をホルダの壁に固定することができる。
【００２９】
次に、他の実施形態を示す図６〜１０を参照する。この実施形態では、参照符合５０で示す折られた紙袋は、参照符合５１で示す一片の硬い紙により形成される一体に設けられたホルダ内に支えられる。ホルダは、前壁５２と、折り曲げ線５４により前壁とヒンジ結合された底壁５３と、折り曲げ線５６により低壁とヒンジ結合された後壁５５と、折り曲げ線５８により後壁とヒンジ結合された蓋５７を含む。
【００３０】
ホルダの低壁は、中央折り曲げ線６０と、ホルダの底壁と前壁および底壁と後壁の間の折り曲げ線とを含み、この折り曲げ線は、底部の中央折り曲げ線に対して凸状にカーブしているので、底部が開かれると、ホルダの両側壁の間は離され、底部との折り曲げ線に従って凸状にカーブするようになる。底部の中央が前壁と後壁の間で移動すると、底部は「中央を越え」、ホルダの前壁および後壁が底部によって安定した状態で支えられるような状態になる。
【００３１】
底部と側壁の間の凸状にカーブした折り曲げ線の端付近には、逆にカーブした部分６１があり、平行な直線部分６２で終端する。ホルダの底部と側壁の間に結果としてできるコーナにより、ホルダを面に安定して置くことができる。
【００３２】
第１実施形態と同様、袋はホルダの両側から突出しており、袋の前壁と後壁は、細い帯状の粘着物によりホルダの前壁および後壁に固定されている。袋の後壁は、蓋の上部に延伸し、上端付近で蓋に接着する。
【００３３】
ホルダの前壁は、上端に沿って形成され、ハトの幅広な尾の形に切り抜かれたタブを含む。また、ホルダの蓋には、タブを固定することができる、対応する差込み口があり、それによって、蓋を閉じることができ、食品容器を閉じたまま保持できる。
【図面の簡単な説明】
【００３４】
【図１】ロールのような食品に使用されるパックの平らな状態を示す正面図である。
【図２】蓋が開いた状態でロールを入れられるように開いているパックの正面図である。
【図３】蓋が開いた状態でロールを入れられるようになっているパックの側面図である。
【図４】蓋が開いた状態であるパックの斜視図である。
【図５】蓋が閉じた状態であるパックの斜視図である。
【図６】第２のパックの平らな状態を示す正面図である。
【図７】食品を単数または複数入れられるように開いている図６のパックの正面図である。
【図８】パックが開いている場合の側面図である。
【図９】蓋が開いた状態で開いているパックの斜視図である。
【図１０】蓋が閉じた状態であるパックの斜視図である。
【図１】
2008517846.tif 000003
【図２】
2008517846.tif 000004
【図３】
2008517846.tif 000005
【図４】
2008517846.tif 000006
【図５】
2008517846.tif 000007
【図６】
2008517846.tif 000008
【図７】
2008517846.tif 000009
【図８】
2008517846.tif 000010
【図９】
2008517846.tif 000011
【図１０】
2008517846.tif 000012
【国際調査報告】
2008517846.tif 000013
2008517846.tif 000014